(57)【要約】  ツールアセンブリは、駆動ツールと、ホルダアセンブリとを有する。駆動ツールは、ハウジングと、モータと、出力部材と、出力部材をモータに回転可能に結合するためのトランスミッションと、を有する。モータとトランスミッションは、ハウジングに格納される。ホルダアセンブリは、ハウジングにテレスコープ式に結合される脚部と、ファスナガイドと、調整機構と、を備える。ファスナガイドは、ネジ切りファスナを支持するように適合されている、縦方向延伸溝と、溝に対して横方向に配置されるカムと、を含む。調整機構は、ファスナガイドを、ハウジングと反対側の脚部の側において脚部に結合する。調整機構は、溝と、出力部材の回転軸の間の距離を変化するように構成される。
2011512264.tif 000002
【特許請求の範囲】
【請求項１】
ツールアセンブリであって、
ハウジングと、モータと、出力部材と、前記出力部材を前記モータに回転可能に結合するためのトランスミッションと、を有する駆動ツールであって、前記モータと前記トランスミッションは前記ハウジングに格納されている駆動ツールと、
脚部と、ファスナガイドと、調整機構と、を備えるホルダアセンブリであって、前記脚部は、前記ハウジングにテレスコープ式に結合され、前記ファスナガイドは、ネジ切りファスナを支持するように適合されている、縦方向延伸溝を含み、前記調整機構は、前記ファスナガイドを、前記ハウジングと反対側の前記脚部の側において前記脚部に結合し、前記調整機構は、前記溝と、前記出力部材の回転軸の間の距離を変化するように構成されているホルダアセンブリと、
を備えることを特徴とするツールアセンブリ。
【請求項２】
前記調整機構は、前記ファスナガイドを前記回転軸に向けて付勢するバネを含むことを特徴とする請求項１に記載のツールアセンブリ。
【請求項３】
前記調整機構は、螺旋状溝を有する第１部分と、前記螺旋状溝を係合する機能を有する第２部分とを含み、
前記第１および第２部分の間の反対回転方向の相対的回転は、前記ファスナガイドを前記回転軸に向って及び前記回転軸から遠ざけるように移動することを特徴とする請求項１に記載のツールアセンブリ。
【請求項４】
前記調整機構は、前記機能を受け入れるスロットを有するスリーブを含み、前記機能と前記スロットの間の相互作用は、前記第２部分が前記スリーブに対して回転することを防止することを特徴とする請求項３に記載のツールアセンブリ。
【請求項５】
前記ファスナガイドは、前記溝と交差するカムを含むことを特徴とする請求項１に記載のツールアセンブリ。
【請求項６】
前記ファスナガイドは、磁石を含むことを特徴とする請求項１に記載のツールアセンブリ。
【請求項７】
前記磁石は、前記溝と直線で配置されていることを特徴とする請求項６に記載のツールアセンブリ。
【請求項８】
前記磁石は、前記溝の少なくとも一部分を形成することを特徴とする請求項５に記載のツールアセンブリ。
【請求項９】
前記ハウジングと前記脚部の内の一つは、複数の第１戻り止め部材を含み、
前記ハウジングと前記脚部の内の他方の一つは、前記第１戻り止め部材を、複数の所定の位置から選択された一つの位置において、前記ハウジングに対して、前記脚部の位置決めをするように前記第１戻り止め部材を取外し可能に係合できる、第２戻り止め部材を含むことを特徴とする請求項１に記載のツールアセンブリ。
【請求項１０】
前記駆動ツールは、クラッチカラーを有するクラッチを更に備え、前記クラッチカラーは、前記クラッチを、複数のクラッチ設定から選択された一つのクラッチ設定に調整可能に設定することを特徴とする請求項１に記載のツールアセンブリ。
【請求項１１】
前記クラッチカラーの内側表面は、前記ホルダアセンブリの前記脚部を支持することを特徴とする請求項１０に記載のツールアセンブリ。
【請求項１２】
前記駆動ツールは光源を更に備えることを特徴とする請求項１に記載のツールアセンブリ。
【請求項１３】
前記脚部は、前記光源により生成された光を、前記光源から前記光源から離れた点に伝達するための光パイプであることを特徴とする請求項１２に記載のツールアセンブリ。
【請求項１４】
前記脚部は、前記ファスナガイドが前記ハウジングに近接し、前記出力部材と垂直方向において直線で配置される退避位置に移動可能であることを特徴とする請求項１に記載のツールアセンブリ。
【請求項１５】
前記出力部材は、前記脚部が前記退避場所に位置するときは、前記溝に収容されることを特徴とする請求項１４に記載のツールアセンブリ。
【請求項１６】
パワーツールであって、
ハンドルを画定するツールハウジングと、
前記ツールハウジングに結合されているモータと、
出力部材と、
前記モータと前記出力部材を結合するトランスミッションと、
前記出力部材と前記トランスミッションの間で伝達されるトルクを制限するクラッチアセンブリと、を備えるパワーツールにおいて、
前記クラッチアセンブリは、
外側ネジ切り部分を有するクラッチ本体であって、前記外側ネジ切り部分は、複数の平行かつ非接続のネジ切り部を有するクラッチ本体と、
前記クラッチ本体の前記外側ネジ切り部分にねじ込みにより結合されているクラッチナットと、
前記トランスミッションの部材に対して配置されている複数のクラッチ要素と、
前記クラッチナットと、前記トランスミッションの前記部材との間に配置されているクラッチバネであって、前記クラッチバネは、前記クラッチ要素を前記トランスミッション要素に対して付勢し、前記トランスミッションと前記出力部材との間のトルク伝達を可能にするクラッチバネと、を含むことを特徴とするパワーツール。
【請求項１７】
前記トランスミッションは、複数の遊星歯車構造を含むことを特徴とする請求項１６に記載のパワーツール。
【請求項１８】
前記トランスミッション部材は、リングギヤであることを特徴とする請求項１７に記載のパワーツール。
【請求項１９】
前記クラッチ本体の前記外側ネジ切り部分は、少なくとも３つの平行かつ非接続なネジ切り部を有することを特徴とする請求項１に記載のパワーツール。
【請求項２０】
パワーツールであって、
本体とハンドルを備えるハウジングと、
前記ハウジングの前記本体に収容されている反転可能モータと、
前記モータにより駆動される出力部材と、
前記モータの操作を制御するスイッチ装置であって、前記スイッチ装置は、前記モータの回転方向を制御する方向スイッチと、アクチュエータと、インディケータを含み、前記アクチュエータは、前記ハウジングの側方向の反対側を介して延伸し、前記インディケータは、前記ハウジングと前記モータの内の少なくとも１つに回転可能に結合されており、前記アクチュエータの伝達に応答して、第１位置と第２位置の間で回転するスイッチ装置と、を備えるパワーツールにおいて、
前記アクチュエータが前記第１位置に位置するとき、前記モータは、第１回転方向において動作可能で、前記インディケータの第１部分は、前記ハウジング内に形成されているウィンドウに整列され、
前記アクチュエータが前記第２位置に位置するときは、前記モータは、第２回転方向において動作可能であり、前記インディケータの第２部分は、前記ウィンドウに整列されることを特徴とするパワーツール。
【発明の詳細な説明】
【技術分野】
【０００１】
関連出願へのクロス・リファレンス
本出願は、２００８年２月１５日に出願された、米国暫定特許出願番号第６１／０２９，１６２号の恩典を主張するものであり、この開示全体はここに参考文献として組み込まれる。
【０００２】
本発明は、一般的にはツールアセンブリに関し、より特別には、ネジ切りファスナが加工品内に駆動される前に、ネジ切りファスナを支持する手段を有するツールアセンブリに関する。
【背景技術】
【０００３】
ブラケットのような物を壁に吊るすとき、対象物を所望の位置に保持し、ネジ切りファスナを対象物の穴に位置させ、ネジ切りファスナの頭を、駆動ツールに結合されているツールビットに係合し、駆動ツールを操作してネジ切りファスナを壁内に駆動することをほぼ同時に行うことは、しばしば面倒なことである。
【０００４】
米国特許第５，６７１，６４２号は、ネジ切りファスナが加工品に係合される前にネジ切りファスナを中心に据え且つ支持するドリル搭載ツールを開示している。この装置は、ネジ切りファスナへの調整を必要とする複数の顎部（ジョー）を含んでいる。更に、この装置は相対的に大きく嵩張り、ドリルの全体の長さを増やしてしまう。
【０００５】
従って、この技術においては、駆動ツールと、ネジ切りファスナが加工品内に駆動される前にネジ切りファスナを選択的に支持する、相対的に小さく、小型かつ軽量な手段を有するツールアセンブリに対する需要が依然として存在する。
【発明の概要】
【０００６】
１つの形態において、本発明の教示は、駆動ツールとホルダアセンブリを有するツールアセンブリを提供する。駆動ツールは、ハウジングと、モータと、出力部材と、および出力部材を回転可能にモータに結合するトランスミッションを有している。モータとトランスミッションはハウジングに格納されている。ホルダアセンブリは、テレスコープ式に（望遠鏡の筒のように伸縮自在に）にハウジングに結合されている脚部と、ファスナガイドと、調整機構を有している。ファスナガイドは、ネジ切りファスナを支持するように構成されている縦方向延伸溝と、溝に対して横方向に配置されているカムを含む。調整機構は、ファスナガイドを、ハウジングの反対側の脚部側の脚部に結合する。調整機構は、溝と出力部材の回転軸の間の距離を変えるように構成されている。
【０００７】
適用可能な更なる領域は、ここでの記載から明確になろう。記載と具体的な例は、例示の目的のためのみであり、本開示の範囲を制限するものではないことは理解されるべきである。
【０００８】
ここで記載される図面は、例示の目的のためのみであり、本開示の範囲を制限するものでは決してない。
【図面の簡単な説明】
【０００９】
【図１】図１は、本開示の教示に従って構築されている、例としてのツールアセンブリの透視図であり、例としてのツールアセンブリは、延長された位置で示されているホルダアセンブリを含む。
【図２】図２は、図１に類似する透視図であるが、ホルダアセンブリを退避させた位置で例示している。
【図３】図３は、図１の例としてのツールアセンブリの部分の端面図であり、ホルダアセンブリの部分をより詳細に示している。
【図４】図４は、例としての調整機構の構成を例示する、ホルダアセンブリの部分の縦断面図である。
【図５】図５は、ホルダアセンブリの部分の透視図であり、ファスナガイドと調整機構をより詳細に例示している。
【図６】図６は、図１の例としてのツールアセンブリの透視図であり、ファスナガイド上のカムと協働してファスナガイドをファスナから遠ざかる方向に駆動するファスナのヘッドを例示している。
【図７】図７は、ファスナガイドの部分を調整するための別の例としての調整機構の透視図である。
【図８】図８は、図７の調整機構の透視部分断面図である。
【図９】図９は、本開示の教示に従って構築されている別の例としてのツールアセンブリの模式図である。
【図１０】図１０から図２３は、本開示の教示に従って構築されている別のツールアセンブリの部分を例示しており、図１０は、ハウジングのノーズおよびホルダアセンブリを例示している、ツールアセンブリの部分の分解透視図である。
【図１１】図１１は、図１０に例示されているツールアセンブリの部分の底面図である。
【図１２】図１２は、ハウジングのノーズから切り離されているクラッチリングの分解透視図である。
【図１３】図１３は、ハウジングのノーズに結合されているクラッチリングの透視図である。
【図１４】図１４は、ホルダアセンブリの脚部のバネアームから切り離されているバネの透視図である。
【図１５】図１５は、ツールアセンブリのハウジングにおいて形成されている戻り止めトラックに係合されているホルダアセンブリのバネアームの透視図である。
【図１６】図１６は、ハウジングのノーズにおける脚部に接触している脚部の止め部の底部平面図である。
【図１７】図１７は、ハウジングの部分と、モータと、トランスミッションと、クラッチと、出力部材と、を含むサブアセンブリの透視図である。
【図１８】図１８は、図１７に例示されているサブアセンブリから切り離されている切換えアセンブリを例示している分解透視図である。
【図１９】図１９は、図１７に例示されているサブアセンブリに結合されている切換えアセンブリを例示している透視図である。
【図２０】図２０は、ハウジングのノーズを有する、図１７に例示されているサブアセンブリのアセンブリを例示している分解透視図である。
【図２１】図２１は、クラッチの部分のクラッチリングへの結合を例示している、ツールアセンブリの部分の分解透視図である。
【図２２】図２２は、スイッチングアセンブリのバネのクラッチリングへの結合を例示している、ツールアセンブリの部分の分解透視図である。
【図２３】図２３は、ツールアセンブリの部分を例示している透視図である。
【図２４】図２４から図２７は、本開示の教示に従って構築されている別のツールアセンブリの部分を例示しており、図２４は、ツールアセンブリのファスナガイドの部分と調整機構を例示している、ツールアセンブリの部分の分解透視図である。
【図２５】図２５は、図２４に例示されているツールアセンブリの部分の縦断面図である。
【図２６】図２６は、ファスナガイドのより完全な部分と調整機構を例示している分解透視図である。
【図２７】図２７は、ファスナガイドの透視部分断面図である。
【図２８】図２８は、図２５に類似の断面図であるが、異なるように構築されているファスナガイドを例示している。
【図２９】図２９は、本開示の教示に従って構築されている別の例としての駆動ツールの透視図である。
【図３０】図３０は、図２９の駆動ツールの部分の分解透視図である。
【図３１】図３１は、図２９の駆動ツールの部分の分解透視図であり、トランスミッションアセンブリとクラッチアセンブリの部分をより詳細に例示している。
【図３２】図３２は、ノーズのアセンブリと戻り止めバネへの調整カラーを例示している分解透視図である。
【図３３】図３３は、図２９の駆動ツールの部分の透視図であり、モータと、トランスミッションアセンブリと、ハウジングの部分とクラッチアセンブリをより詳細に例示している。
【図３４】図３４は、図２９の駆動ツールの部分の側面図であり、モータと、トランスミッションアセンブリと、クラッチアセンブリの部分をより詳細に例示している。
【図３５】図３５は、本開示の教示に従って構築されている別の駆動ツールの部分の分解透視図である。
【図３６】図３６は、図３５の駆動ツールの部分の透視図である。
【図３７】図３７は、図３５の駆動ツールの部分の側面図であり、モータと、トランスミッションアセンブリと、クラッチアセンブリの部分をより詳細に例示している。
【図３８】図３８は、図３５の駆動ツールの部分の透視図であり、クラッチアセンブリの部分をより詳細に例示している。
【図３９】図３９は、図２９の駆動ツールの部分の透視切欠き図である。
【図４０】図４０は、図２９の駆動ツールの部分の背面図であり、モータとスイッチ機構をより詳細に例示している。
【図４１】図４１は、図２９の駆動ツールの上部平面図である。
【発明を実施するための形態】
【００１０】
図１を参照すると、本発明の教示に従って構築されているツールアセンブリ全体が参照番号１０で示されている。ツールアセンブリ１０は、駆動ツール１２と、ホルダアセンブリ１４と、ツールビット１６を含むことができる。駆動ツール１２は、任意のタイプのツールであってよく、ナットランナー、スクリュードライバ、ドリル／ドライバ、またはハンマードリル／ドライバのように回転出力を供給するように構成され、電気式、空気圧式、および／または油圧式の所望の手段により動力を供給できるタイプのツールであればいずれでもよい。特別な例においては、駆動ツール１２は、一般的にＬ字形ハウジング２０と、電気モータ２２と、トランスミッション２４と、出力部材２６とバッテリ２８を含むバッテリ式スクリュードライバである。
【００１１】
ハウジング２０は、本体３０と、ハンドル３２と、マウント（架台）３４を画定できる。本体３０は、モータ２２とトランスミッション２４を収納できるキャビティ（具体的には図示せず）を有することができ、一方、ハンドル３２は、バッテリ２８を収納できるキャビティ（具体的には図示せず）を有することができる。マウント３４は、ハンドル３２の反対側において、本体３０に結合、または本体３０と一体的に形成でき、出力部材２６の回転軸４０にほぼ平行に延伸できる、縦方向延伸スロット３８と、出力部材２６の回転軸４０を通して延伸する垂直平面において、出力部材２６の下方に位置できる凹部４２と、を画定できる。示されている例においては、マウント３４は、本体３０のノーズ４８の前方（しかし、出力部材２６の端部の軸方向後方）に延伸して、ホルダアセンブリ１４が図２に示されているような退避位置のときに、ホルダアセンブリ１４を遮蔽または保護できるアーチ形の壁部材４６を含む。
【００１２】
従来のトリガスイッチ５０は、バッテリ２８とモータ２２に電気的に結合でき、ハウジング２０内に格納できる。トリガスイッチ５０は、バッテリ２８からの電気エネルギーをモータ２２に選択的に分配するために採用できる。トランスミッション２４は、出力部材２６をモータ２２に結合できる任意のタイプのトランスミッションであってもよいが、示されている例においては、トランスミッション２４は、１速度、３段階のプラネタリタイプ（遊星歯車式）のトランスミッションであって、モータ２２からの入力を受け取り、回転出力を出力部材２６に提供する。図示はしないが、駆動ツール１２は、モータ２２と出力部材２６の間で伝達されるトルクの大きさを制限するトルククラッチを含むことができる。出力部材２６は、従来の方法で構成でき、ツールビット１６を取外し可能に収容できる。ツールビット１６は、ネジ切りファスナを駆動する任意の市販のツールビットであってよい。
【００１３】
図２から図５を参照すると、ホルダアセンブリ１４は、脚部６０と、ファスナガイド６２と、脚部６０に対するファスナガイド６２の高さを調整する調整機構６４を含むことができる。脚部６０は、マウント３４内の縦方向延伸スロット３８に摺動可能に収納でき、それによりハウジング２０にテレスコープ式に結合できる。止め部材Ｓ（図９）は、脚部６０の基端部ＰＥ（図９）に結合できる。止め部材Ｓ（図９）はハウジング２０に接触でき、ホルダアセンブリ１４が延伸位置（図１）に位置するときに、脚部６０がハウジング２０から引き出されることを防止する。示されている特別な例においては、脚部６０は、側方向断面から見たときにアーチ形状を有しており、脚部６０の上部および下部表面６６と６８それぞれを、トランスミッション２４の周りに同心円状に位置させ、同時に、脚部６０の剛性を増し、それにより脚部６０が相対的に強度を増し、駆動ツール１２に容易にパッケージ化できる。脚部６０は、単一的に形成されているとして例示されているが、脚部６０は、テレスコープ式にお互いに結合できる２つ以上の相互接続セグメントから形成できるということは理解されよう。
【００１４】
ファスナガイド６２は、縦方向延伸溝７０とカム７２を含むことができる。溝７０は、溝７０に収納されるネジ切りファスナＦ（図１）を支持するように構成されている一対の横方向壁部材７６を有する全体的にＶ字形の溝であってよい。溝７０は、任意の設計方法で輪郭を決めることができるが、示されている例においては、番号１０のネジ切りファスナの半径に対応する半径７８が、横方向壁部材７６の交点において採用されている。カム７２は、ファスナガイド６２の後部側に形成でき、後方に向けて（ハウジング２０の本体３０に向けて）および下方に向けて（出力部材２６の回転軸４０から遠ざかるように）細くなっていく傾斜表面８０を含むことができる。傾斜表面８０は、図５に示されているように平坦な表面として構成でき、または図７に示されているような円錐台表面であってもよい。ファスナガイド６２の少なくとも一部分は、磁気的に第１鉄のファスナを溝７０に引きつけ位置させるために磁性であってもよい。例示されている実施の形態においては、ファスナガイド６２は、ベース８２と、ベース８２に結合されている離散的磁石８４と、を含む。離散的磁石８４は、部分的に横方向壁部材７６および／または半径７８を画定でき、ニッケル−鉄−ホウ素またはサマリウム−コバルトのような強磁性を有する材料から形成できる。
【００１５】
調整機構６４は、ファスナガイド６２を、ハウジング２０の反対側の脚部６０に結合する。調整機構６４は、出力部材２６の回転軸４０と脚部６０の間の垂直方向においてファスナガイド６２を選択的に位置できるように構成できる。別の言い方をすれば、調整機構６４は、溝７０と回転軸４０の間の距離を変化させるように構成されている。調整機構６４は、シリンダ９０と、ピストン９２と、キャップ９４と、バネ９６を含むことができる。シリンダ９０は、非円形の側断面形状（例えば、六角形状）を有する内部チャンバ１００を画定できる中空管状構造であってよい。シリンダ９０は、脚部６０の末端部ＤＥに結合できる。ピストン９２は、第１部分１１０と第２部分１１２を含むことができる。第１部分１１０は、内部チャンバ１００に収容でき、シリンダ９０にサイズを合わせて摺動可能に、しかし非回転可能に係合できる（例えば、第１部分１１０は、内部チャンバ１００の六角形状に対応する六角形状を有することができる）。第２部分１１２は、第１部分１１０よりもサイズが小さくてよく、第１部分１１０から上方へ延伸でき、溝７０を出力部材２６の回転軸４０に平行に向けさせるように、ファスナガイド６２に固定的かつ非回転可能に結合できる。キャップ９４は、脚部６０の反対側のシリンダ９０の端部に結合でき、円形アパチャ（開口）１１４を含むことができ、円形アパチャ１１４を通して、例示されている特別な例においては円筒形であるピストン９２の第２部分１１２が収容される。バネ９６は、脚部６０と、ピストン９２の第１部分１１０の間の内部チャンバ１００に収容でき、ピストン９２を、脚部６０から遠ざかる方向に付勢できる。１つ以上のバネガイドを採用して、バネ９６をガイドできる。例えば、円筒形状であってよい第１バネガイド１１６は、脚部６０から延伸でき、バネ９６の内部に収容でき、一方、円筒形凹部であってよい第２バネガイド１１８は、バネ９６を収容するために、ピストン９２の第１部分１１０に形成できる。ピストン９２は、種々の異なる方法で脚部６０に「合わせる」ことが可能であり、開示された特別な例は、本開示の範囲を如何なる意味においても制限するものと考えてはならない。例えば、通常の技量を有する当業者は、この開示から、内部チャンバ１００が円筒形状であってもよく、ピストン９２の第１部分１１０が、対応する円形断面を有してもよく、ピストン９２の第２部分１１２が、非円形の側断面形状を有してもよく、キャップ９４におけるアパチャ１１４が、脚部６０に対して所望の方向においてピストン９２に整列するようにサイズを合わせその方向に向けることができるということは理解するであろう。
【００１６】
図１を参照して、ツールアセンブリ１０の動作を詳細に記述する。動作中は、脚部６０を所望の位置まで延伸して、ネジ切りファスナＦのヘッドＨがツールビット１６に係合され、カム７２から間隔をおいて置かれている間、ネジ切りファスナＦを支持できる。ユーザは、ネジ切りファスナＦの先端部Ｔが、加工品Ｗ内に押し込められるときに（図６）、駆動ツール１２を起動できる（トリガスイッチ５０を介してツールビット１６の回転を開始する）。ホルダアセンブリ１４は、ネジ切りファスナＦが回転して、加工品Ｗ内にねじ込まれ始めるときに、ネジ切りファスナＦを支持できる（図６）。図６を参照すると、ネジ切りファスナＦが加工品内に駆動されるときのホルダアセンブリ１４（例えば、脚部６０）と加工品Ｗの間の接触により、脚部６０をマウント３４に押し込み、それによりファスナガイド６２は、ネジ切りファスナＦに沿って後方に移動する。ネジ切りファスナＦがツールビット１６に係合して、加工品にねじ込まれるときに、ネジ切りファスナＦのヘッドＨとカム７２の間の接触により、ファスナガイド６２を、出力部材２６の回転軸４０から遠ざかるように垂直下方に移動させ、それにより、ネジ切りファスナＦのヘッドＨを、ファスナガイド６２を通りすぎて、加工品Ｗ内に駆動できる。
【００１７】
ホルダアセンブリ１４が図２に示されている退避位置に位置しているときは、調整機構６４は、凹部４２に位置することができ、ファスナガイド６２は、駆動ツール１２上の所望の表面に接して位置することができる（例えば、ファスナガイド６２は、ハウジング２０に近接して位置することができ、出力部材２６が溝７０に収容され、溝７０を画定する横方向壁部材７６（図４）に接するように、出力部材２６と垂直方向にインラインで配置できる）。
【００１８】
図７と８は、シリンダ９０ａと、ピストン９２ａと、調整リング１２０と、スナップリング１２２を含むことができる代替の調整機構６４ａを例示している。シリンダ９０ａは脚部６０に結合でき、中空円筒形内部チャンバ１００ａと縦方向延伸ガイドスロット１２６を画定できる。ピストン９２ａは、内部チャンバ１００ａに収容でき、固定的に、しかし非回転可能にファスナガイド６２に係合される第１部分１１０ａと、第１部分１１０ａに対してほぼ直交して、ガイドスロット１２６内に延伸できる第２部分１１２ａを含むことができる。調整リング１２０は、シリンダ９０ａの周りに収容でき、内部螺旋状溝または、ピストン９２ａの第２部分１１２ａを収容できるネジ切り部１３０を含むことができる。スナップリング１２２は、シリンダ９０ａの周りに形成されている周方向溝１３４に嵌め込むことができ、調整リング１２０がシリンダ９０ａから外れるのを防止できる。調整リング１２０の回転は、第２部分１１２ａの対応する垂直方向の動きを引き起こし、ユーザが選択的にピストン９２ａとファスナガイド６２を上昇または下降することを可能にする。
【００１９】
図９において、ツールアセンブリ１０ａは、駆動ツール１２ａが光源２００を含み、ホルダアセンブリ１４ａが光パイプ２０２を含むことができることを除いてツールアセンブリ１０（図１）にほぼ類似している。光源２００は、１つ以上の発光ダイオードを含むことができるが、バッテリ２８とトリガスイッチ５０に電気的に結合でき、光パイプ２０２内に送ることができる光を生成できる。光パイプ２０２は、脚部６０に結合できる離散的構造であってもよく、または脚部６０と一体的に形成できる。光パイプ２０２は、ポリカーボネートのような透明材料から形成でき、光源により生成された光を捕捉して、その捕捉した光を、光パイプ２０２の末端部ＤＥに送るように構成されている。光パイプ２０２の末端部ＤＥは、所望の方法で、光パイプ２０２を通して送られてきた光を反射、その向きを変え、発散する種々の機能を備えて構成できる。例えば、光パイプ２０２の末端部ＤＥ上の第１表面２１０は、光パイプ２０２を通り第２表面２１２に送られてきた光の全体を内部で反射するように構成でき、第２表面２１２は、所望の方法で反射された光を発散し、それにより加工品（図示せず）の所望の領域を照明することを可能にする。被膜を光パイプ２０２とハウジング２０の内部に適用して、光パイプ２０２により捕捉および／または保持される光の量を増加できるということは理解されよう。例えば、ハウジング２０と、縦方向に延伸する外側表面の内側表面を白く塗り、光を反射させることができる（ハウジング２０および／または光パイプ２０２において）。
【００２０】
本開示の教示に従って構築されている別のツールアセンブリの部分は、図１０から図２３に例示されている。ここで記述されていないツールアセンブリの部分は、上述したツールアセンブリ１０および／または下記により詳細に記載するツールアセンブリ８１０の部分と類似または同一であってもよい。図１０と図１１を具体的に参照すると、駆動ツールのノーズ４８ｂは、前部フランジ３００と、一対のバネアーム３０２を含んで例示されている。前部フランジ３００は、ホルダアセンブリ１４ｂの脚部６０ｂを収容できる、縦方向延伸スロット３８ｂを有するマウント３４ｂを含むことができる。ホルダアセンブリ１４ｂは、下記に記載することを除いて、上述のホルダアセンブリ１４（図１）にほぼ類似してよい。脚部６０ｂの基端部ＰＥは、図１１に例示されているようにお互いに向けて強く押すことができ、脚部６０ｂの基端部ＰＥを、縦方向延伸スロット３８ｂに収容できるようにする一対の弾力性のある固定脚部３１０を含むことができる。調整機構６４ｂは、付勢バネ（具体的には図示せず）とファスナガイド６２ｂを収容するようにサイズが決められている下方部分３２２と、ファスナガイド６２ｂの一部が延伸できるウィンドウ３２８を画定できる上方部分３２４を有する、ツーピース（二分割）容器状構造３２０を含むことができる。図示しないが、ファスナガイド６２ｂは、その周囲に延伸できるフランジを含むことができ、このフランジは、付勢バネがファスナガイド６２ｂを容器状構造３２０から押し出さないように、ウィンドウ３２８のサイズより大きなサイズとすることができるということは理解されよう。
【００２１】
図１２と図１３を参照すると、クラッチリング３３０をバネアーム３０２上に押し付けて、クラッチリング３３０をノーズ４８ｂに回転可能に結合できる。理解されるように、クラッチリング３３０は、複数のクラッチ設定から選択されたクラッチ設定にクラッチ（例えば、図１７のクラッチ２５）を設定するためのオペレータからの入力を受け取るように構成されている。バネアーム３０２は、半径方向外側に向けて延伸するリブ３３２を含み、リブ３３２は、バネアーム３０２と協働してクラッチリング３３０の内径よりも大きな外径を画定する。クラッチリング３３０とリブ３３２の間の接触により、バネアーム３０２は内側に向けて変位するが、バネアーム３０２は、クラッチリング３３０がリブ３３２上を通過すれば、外側に向けて変位できる。この状態で、リブ３３２は、クラッチリング３３０がノーズ４８ｂから外れることを防止する。いったんノーズ４８ｂに回転可能に結合されると、クラッチリング３３０は、クラッチリング３３０の内側表面３３０ａが、脚部６０ｂの下部表面６８ｂを支持するようにサイズを合わせることができる。
【００２２】
図１４と図１６において、バネ３４０は、脚部６０ｂの基端部ＰＥに結合して固定脚部３１０を外側方向に向けて付勢することを支援できる。示されている例においては、バネ３４０は弾力性のあるワイヤバネであり、脚部６０ｂの基端部ＰＥにおいて形成されているバネ溝３４２に収容される。外側に向けて付勢されている固定脚部３１０は、止め具Ｓと戻り止め３４６を含む。止め具Ｓはノーズ４８ｂにより画定される対応する突起３４８に対して接することができ、脚部６０ｂがノーズ４８ｂから外れるのを防止する。
【００２３】
図１７〜図２４において、モータ２２ｂと、トランスミッション２４ｂと、クラッチ２５と、出力部材２６ｂは組み立てて、クラムシェルハーフ２０’に設置できる。当業者であれば、クラムシェルハーフ２０’は、駆動ツール（具体的には図示せず）のハウジング（具体的には図示せず）の一部を形成できることは理解するであろう。スイッチングアセンブリ３５０は、スイッチ部材３５２とバネ３５４を含むことができ、クラムシェルハーフ２０’に結合できる。
【００２４】
図２０から図２３において、モータ２２ｂと、トランスミッション２４ｂと、クラッチ２５ｔｐ、出力部材２６ｂと、クラムシェルハーフ２０’と、スイッチングアセンブリ３５０のサブアセンブリ（組立品）は、ノーズ４８ｂとクラッチリング３３０に結合できる。出力部材２６ｂはノーズ４８ｂ内に収容でき、クラッチナット３６０はクラッチリング３３０内の縦方向延伸溝３６２に整列でき、バネ３５４は、クラッチリング３３０内に形成されている複数の戻り止め溝３６８の一つに収容できる。図１５を追加的に参照すると、固定脚部３１０の戻り止め３４６は、ハウジング２０ｂ内の縦方向延伸スロット３８ｂの側面を画定できる、縦方向に延伸する戻り止めトラック３７０に係合できる。戻り止めトラック３７０は、溝付き表面のような複数の戻り止め部材を含むことができ、ハウジング２０ｂに対して所望の位置において脚部６０ｂを位置決めするために、戻り止め３４６の対応する一つを連結的に係合できる。戻り止め３４６の戻り止めトラック３７０への係合は、脚部６０ｂの位置が変化したときの、感触および音で分かるフィードバックと、同時に脚部６０ｂとハウジング２０ｂの間の制御側の遊びをユーザに与えることができる。
【００２５】
図２０と図２３を具体的に参照すると、ホルダアセンブリ１４ｂが完全に退避した位置に位置することにより、ノーズ４８ｂ上のカム３８０が、ファスナガイド６２ｂのカム７２ｂと接触して、ファスナガイド６２ｂを退避位置に垂直下方に押し下げることが可能になる。
【００２６】
図２３を具体的に参照すると、ツールアセンブリ１０ｂは光源５００を含むことができ、光源５００は、ハウジング２０ｂに格納でき、所望の領域を照明するために選択的に起動できる発光ダイオードまたは他の適切な光源を含むことができる。示されている例においては、光源５００は、トリガスイッチ５０を押すことにより選択的に起動され、一旦照明を開始すると、光源５００を、トリガスイッチ５０と光源５００と共に、バッテリのようなツールの電源に電気的に接続できるタイマ（図示しない）を介して所定の時間、その照明状態に維持できる。
【００２７】
図２４から図２７において、代替のホルダアセンブリ１４ｃの構造が例示されている。ホルダアセンブリ１４ｃは、脚部６０ｃと、ファスナガイド６２ｃと、調整機構６４ｃを含むことができる。図２５と図２８を参照すると、ファスナガイド６２ｃは、成形プラスチック本体６００と、ステンレス鋼のような適切な材料から形成できる当て板６０２と、磁石６０４を含むことができる。当て板６０２は、挿入成形のような任意の所望の方法で本体６００に結合できる。本体６００は、バネガイド６０６と、磁石６０４を収容するように構成できる磁石アパチャ（開口）６０８と、ファスナガイド６２ｃの側方向の面に沿って延伸できる一対のフランジ６１０を画定できる。
【００２８】
調整機構６４ｃは、第１ハウジング部分６２０と、第２ハウジング部分６２２と、バネ６２４と、一対のファスナ６２６を含むことができる。第１ハウジング部分６２０は、脚部６０ｃと一体形成でき、前部壁６３０と、一対の側壁６３２と、底部壁６３４を含むことができ、これらは協働してキャビティ６３８を画定している。側壁６３２は、キャビティ６３８内に延伸できる部分６３９を含むことができる。バネ６２４は、バネガイド６０６上に搭載でき、ファスナガイド６２ｃは、第１ハウジング部分６２０の開口端６４０を介して、側壁６３２にほぼ平行な方向に摺動可能に収納できる。バネ６２４は底部壁６３４と接触でき、ファスナガイド６２ｃをキャビティ６３８内で上方に押し上げることができるということは理解されよう。フランジ６１０と、側壁６３２の内側延伸部分６３９の間の接触により、図２７に示されているように、ファスナガイド６２ｃの動きを、キャビティ６３８から外側へ向かう方向において制限できる。第２ハウジング部分６２２は、カバー状構造であってもよく、第１ハウジング部分６２０の開口端６４０を閉じるように構成できる。示されている例においては、ファスナ６２６が採用されて、第２ハウジング部分６２２を第１ハウジング部分６２０に固定的に、しかし取外し可能に結合している。
【００２９】
随意に、ロールピンのようなガイドピン６５０を、脚部６０ｃ／第１ハウジング部分６２０を介してそこに係合でき、バネガイド６０６内に形成できるガイドホール６５２内に収容できる。ガイドピン６５０はファスナガイド６２ｃと協働して、ファスナガイド６２ｃが、ガイドピン６５０と平行な方向にのみ移動することを確実にする。
【００３０】
図２８の例は、更に別のファスナガイド６２ｄを示している。この例においては、ファスナガイド６２ｄは、亜鉛のような適切な材料により一体的に形成されている本体６００ｄを含むこと以外は、ファスナガイド６２ｃ（図２５）にほぼ類似しており、磁石アパチャ６０８上方の領域７００は相対的に薄くでき、それにより磁石６０４の磁場が、ファスナ（図示しない）をファスナガイド６２ｄに保持するのに十分な強さになる。
【００３１】
図面の図２９を参照すると、本発明の教示に従って構築されている駆動ツールが、全体を参照番号８１０で示されている。駆動ツール８１０は、ナットランナー、スクリュードライバ、ドリル/ドライバ、またはハンマードリル／ドライバのように回転出力を与えるように構成されていれば任意のツールであってよく、電気式、空気圧式、および／または油圧式を含む任意の所望の方法で動力を与えることができる。示されている特別な例においては、駆動ツール８１０は、バッテリ駆動されるスクリュードライバであり、ハウジングアセンブリ８２０と、電気モータ８２２と、トランスミッションアセンブリ８２４と、出力部材８２６と、クラッチアセンブリ８２８と、バッテリ８３０を含む。モータ８２２とバッテリ８３０は、その構成において従来と同じであってもよく、そのため、ここでは詳細に検討する必要はない。
【００３２】
図３０を追加的に参照すると、ハウジング８２０は、一対のハウジングシェル８５０と、帯状部材８５２と、ノーズ８５４を含むことができる。ハウジングシェル８５０は協働して、本体８６０とハンドル８６２（図２９に示されている）を画定できる。本体８６０は、モータ８２２とトランスミッションアセンブリ８２４を収容できるキャビティ８６４と、ハンドル８６２の反対側の本体８６０の端部の帯状アパチャ８６６を含むことができる。ハンドル８６２は、バッテリ８３０を収容できるキャビティ（具体的には図示しない）を有することができる。帯状部材８５２は、帯状アパチャ８６６を閉じるように構成でき、ハウジングシェル８５０内に形成されている対応する溝８６８内のハウジングシェル８５０の間に収容できる。帯状部材８５２は、バネマウント８７０と、複数のクラッチ設定インディシア（標識）８７２と、一対のヨーク８７４を含む。クラッチ設定インディシアは、帯状部材８５２の残りの部分と一体的に形成でき、および／または適切な方法で（例えば、粘着結合、熱押着）帯状部材８５２の残りの部分に結合できる。ノーズ８５４は、前部フランジ８８０と一対のバネアーム８８２を含むことができる。バネアーム８８２の第１端部は、前部フランジ８８０に結合でき、一方、半径方向に延伸するリブ８８４は、前部フランジ８８０の反対側の第２端部上に形成できる。
【００３３】
従来のトリガスイッチ８９０（図２９に示されている）は、バッテリ８３０とモータ８２２に電気的に結合でき、ハウジンング８２０内に格納できる。トリガスイッチ８９０は、電気エネルギーをバッテリ８３０からモータ８２２に選択的に供給するために採用できる。
【００３４】
図３０と図３１を参照すると、トランスミッションアセンブリ８２４は、トランスミッション９００とギヤケース９０２を含むことができる。トランスミッション９００は、任意のタイプのトランスミッションであってもよいが、示されている例においては、一速、三段階のプラネタリタイプのトランスミッションであり、モータ８２２から入力を受け取り、出力部材８２６に回転出力を供給する。ギヤケース９０２は、トランスミッション９００を格納するように構成できる。示されている特別な例においては、ギヤケース９０２はシェル部材９１０を含み、シェル部材９１０は、トランスミッション９００が保持される、円周方向に延伸する壁９１２を画定する。ギヤケース９０２は、従来の、そしてよく知られている方法でモータ８２２に結合して、モータ８２２の出力シャフト（図示しない）をトランスミッション９００と揃えることができる。ギヤケース９０２はまた、従来の、そしてよく知られている方法でハウジング８２０に結合でき、ハウジングシェル８５０に対するトランスミッションアセンブリ８２４の軸方向のおよび／または回転運動を防止できる。示されている特別な例においては、ネジ９１４を、結合されている１つのハウジングシェル８５０を介して収容でき、ねじ込みによりギヤケース９０２上のボス９１６に係合できる。帯状部材８５２のヨーク８７４は、ボス９１６上に嵌め込むことができ、帯状部材８５２をハウジングシェル８５０に軸方向に固定することを支援する。ヨーク８７４は、ネジ９１４が締められるときに、ハウジングシェル８５０とギヤケース９０２の間に挟み込まれる。
【００３５】
出力部材８２６は、チャックのような任意のタイプの出力部材であってもよい。示されている例においては、出力部材８２６は、１／４インチ（６．４ｍｍ）の雄ネジ六角形端部を有する、標準の市販ツールビット（図示しない）を収容し、それを連結係合するように構成されている中空端部９２０を含む。
【００３６】
クラッチアセンブリ８２８は、クラッチ本体９５０と、複数のクラッチ要素９５２と、スラスト部材９５４と、クラッチバネ９５６と、クラッチナット９５８と、戻り止めバネ９６０と、調整カラー９６２を含むことができる。クラッチ本体９５０は、ギヤケース９０２と一体形成でき、端部壁９７０と、出力部材８２６を収容できる管状の外側ネジ切り部分９７２を含むことができる。端部壁９７０はモータ８２２の反対側のギヤケース９０２の１つの面を閉じることができ、クラッチ要素９５２を収容できる複数の貫通孔９７４を含むことができる。外側ネジ切り部分９７２は、複数の、平行かつ非接続のネジ切り部９７６を有する。示されている特別な例においては、外側ネジ切り部分９７２は、３つの平行かつ非接続のネジ切り部９７６ａ、９７６ｂ、および９７６ｃを有している（つまり、３つのネジ切り部式）。クラッチ要素９５２は、ボールまたはピンであってよく、貫通孔９７４のそれぞれに収容でき、トランスミッション９００の最終段階（つまり出力段階）と連結されているリングギヤ９９０の軸端部上に形成できるクラッチ表面９８０に対して接することができる。スラスト部材９５４は、クラッチ本体９５０の外側ネジ切り部分９７２上に収容でき、クラッチ要素９５２に接することができるワッシャであってよい。クラッチバネ９５６は、クラッチ本体９５０の外側ネジ切り部分９７２上に収容でき、スラスト部材９５４に接することができる。クラッチナット９５８は、クラッチ本体９５０の外側ネジ切り部分９７２にねじ込みにより係合できる内側ネジ切りアパチャ（開口）１０００と、半径方向外側に延伸するポスト１００２を有する環状構造であってよい。
【００３７】
図３０と図３２を参照すると、戻り止めバネ９６０は、帯状部材８５２に対する調整カラー９６２の動きに抗するように採用できる。示されている特別な例においては、戻り止めバネ９６０は、戻り止め部材１０１０と戻り止め部材１０１０の反対側に配置されている一対の係合部材１０１２とを有する、リーフ（板）バネである。係合部材１０１２は、バネマウント８７０上に形成されている搭載構造１０２０に係合でき、それにより、戻り止めバネ９６０を帯状部材８５２に結合できる。
【００３８】
調整カラー９６２は、駆動ツール８１２のユーザの手動入力を受け取り、その入力をクラッチナット９５８に送るように構成できる。調整カラー９６２は、前部フランジ８８０と半径方向外側に延伸するリブ８８４の間のバネアーム８８２上に回転可能に搭載できる環状構造であってよい。本開示から、調整カラー９６２は、バネアーム８８２上に押し付けることができることは理解されよう。調整カラー９６２とリブ８８４の間の接触により、バネアーム８８２を内側に向けて変位するが、カンチレバー付きバネアーム８８２は、調整カラー９６２がいったんリブ８８４上を通過してしまえば、外側に向けて変位できる。この状態で、リブ８８４は、調整カラー９６２がノーズ８５４から外れることを防止できる。リブ８８４は、ハウジングシェル８５０に形成されている対応するリブ１０３０の間にも係合でき、それにより、ノーズ８５４を、ハウジングシェル８５０に結合する。従って、ハウジングシェル８５０をお互いに結合することは、同時に帯状部材８５２とノーズ８５４をハウジングシェル８５０に締め付けまたは固定することであることは理解されよう。
【００３９】
調整カラー９６２は、調整カラー９６２を介して縦方向に延伸できるスロット１０４０と、複数の円周方向に等間隔に配置されている戻り止め凹部１０４２を含むことができる。ポスト１００２は、調整カラー９６２の回転が、クラッチナット９５８の対応する回転（および平行移動）を引き起こすことができるようにスロット１０４０に収容できる。代替例において、ポスト１００２は、調整カラー９６２に結合でき、スロット１０４０は、クラッチナット９５８内に形成できるということは理解されよう。
【００４０】
戻り止めバネ９６０の戻り止め部材１０１０は、戻り止め凹部１０４２のひとつに収容でき、調整カラー９６２に弾性的に係合でき、それにより、調整カラー９６２とクラッチ本体９５０の間の相対的な回転に抗することができる。戻り止め部材１０１０と戻り止め凹部１０４２は、クラッチナット９５８が、それぞれが異なるクラッチトルク（つまり、クラッチアセンブリ８２８が係合を解除して、それにより出力部材８２６とトランスミッション９００の間のトルク伝達を制限するトルク）に対応している複数の所定のクラッチ設定において、クラッチ本体９５０の外側ネジ切り部分９７２に沿って位置することを可能にする。所定のクラッチ設定は、最大クラッチ設定（図３３と図３４に薄い線で示されている）と、最小クラッチ設定（図３３と図３４に実線で示されている）と、最大および最小クラッチ設定の間の複数の中間クラッチ設定とを含む。代替例において、戻り止めバネ９６０は、調整カラー９６２により支持でき、一方、戻り止め凹部１０４２はハウジング８２０内に形成できるということは理解されよう。
【００４１】
クラッチ本体９５０の外側ネジ切り部分９７２上の複数のネジ切り部により、クラッチナット９５８の相対的に小さな角度の回転は、クラッチ本体９５０に沿うクラッチナット９５８の軸方向の位置における相対的に大きな変化を引き起こすことができる。例えば、複数のネジ切り部により、クラッチナット９５８を最大クラッチ設定から、４つの中間クラッチ設定を経て、最小クラッチ設定へ、ほぼ等しい増分で、例えば８０度のような、９０度よりも小さな角度で回転させながら移動させることができる。示されている特別な例においては、複数の所定のクラッチ設定は、約１ｍｍの距離で、お互いに等間隔に配置されており、それにより、クラッチナット９５８の、複数の所定のクラッチ設定の第１番目から、第１番目に隣接する第２番目への移動が、クラッチバネの長さを約１ｍｍ変化させる。
【００４２】
図３９を参照すると、駆動ツール８１０は、電気モータ８２２が回転する方向を制御するために採用できる反転スイッチアセンブリ２０００を更に含むことができる。図４０を追加的に参照すると、反転スイッチアセンブリ２０００は、方向スイッチ２００２と、アクチュエータ２００４と、インディケータ２００６を含むことができる。方向スイッチ２００２は、駆動ツール８１０のオペレータからの入力を受け取るように構成されているスイッチ部材２０１０と、スイッチ部材２０１０に結合されていて、それと共に動くスイッチアクチュエータ２０１２と、を具備できる。ハウジングシェル８５０は、スイッチ部材２０１０が延伸できる駆動ツール８１０の側方向の反対側にスイッチアパチャ２０１４（図２９）を含むことができる。ハウジングシェル８５０は、リブ２０１８のような内部構造も含むことができ、方向スイッチ２００２が第１位置と第２位置の間を側方向に移動するときに方向スイッチ２００２をガイドできる。スイッチアクチュエータ２０１２は、トリガスイッチ８９０のコントローラ２０２２上の反転スイッチ２０２０と相互作用するように構成できる。示されている例においては、スイッチアクチュエータ２０１２は、ポスト状の反転スイッチ２０２０が収容される長方形ウィンドウ２０２４を有するプレート状構造である。ウィンドウ２０２４の側面は、この例において採用されているように、反転スイッチ２０２０を、２箇所の位置（つまり、順方向および反転方向の回転に対応する）に、または３箇所の場所（つまり、順方向回転、無回転、および反対方向の回転に対応する）に移動する（つまり、摺動または平行移動する）ように構成できるということは理解されよう。
【００４３】
アクチュエータ２００４は、方向スイッチ２００２に結合して、方向スイッチ２００２と共に動くようにすることができる。示されている特別な例においては、アクチュエータ２００４は、方向スイッチ２００２から、モータ８２２の縦方向／回転軸Ａと、方向スイッチ２００２の動きにほぼ直交して延伸するポスト状構造２０３を含む。ポスト状構造２０３０は、球面形状の突起物２０３２において、その末端部において終了できる。
【００４４】
インディケータ２００６は、ハブ２０４０とフォーク２０４２を含むことができる。ハブ２０４０は、モータ８２２に結合されているモータケースの径を細くした部分２０４６の外周面２０４４上にジャーナルのように搭載できる環状構造であってよい。モータケース２０４８の径を細くした部分２０４６は、モータケース２０４８に対してモータ８２２の出力シャフト８２２ａを回転可能に支持するように構成されているベアリング（図示しない）を格納できるということは理解されよう。フォーク２０４２は、ポスト状構造２０３０を収容できる空間２０５２を画定する一対の等間隔に配置されている壁部材２０５０を含むことができる。方向スイッチ２００２が第１、第２、および第３スイッチ位置（順方向、無回転、および反転方向回転、それぞれに対応する）の間を平行移動するときに、ポスト状構造２０３０と壁部材２０５０の間の接触により、ハブ２０４０を第１、第２、および第３回転位置にそれぞれに回転できる。
【００４５】
インディケータ２００６は、ハブ２０４０と共に回転できるようにハブ２０４０に結合できるインディケータ部材２０６０を更に含むことができる。インディケータ部材２０６０は、アーク形状セグメントであってよく、インディケータ表面２０６２を含むことができ、インディケータ表面２０６２上には、第１、第２、および第３スイッチ位置をそれぞれ示す方向インディシア（標識）２０６４を備える。方向インディシア２０６４は、ハウジングアセンブリ８２０内のアパチャ（開口）２０７０と整列でき、方向スイッチ２００２の設定を示す。例えば、方向インディシア２０６４ａのアパチャ２０７０への整列は、方向スイッチ２００２が第１位置に位置することを示すことができ、方向インディシア２０６４ｂのアパチャ２０７０への整列は、方向スイッチ２００２が第２位置に位置することを示すことができ、方向インディシア２０６４ｃのアパチャ２０７０への整列は、方向スイッチ２００２が第３位置に位置することを示すことができる。
【００４６】
好ましくは、方向インディシア２０６４は、フォーク２０４２（つまり、示されている例においては突起部２０３２）に接触するポスト状構造２０３０の部分とハブ２０４０の回転軸の間の距離よりも、ハブ２０４０の回転軸から更に離れて配置し、それにより、ハブ２０４０において行われる入力を機械的に増幅する。これにより、例えば、方向スイッチ２００２のストロークを、所望の程度に維持することが可能になり、一方では、方向インディシア２０６４の間のインディケータ表面２０６２上のかなり大きなアークが可能になる。
【００４７】
インディケータ２００６はモータ８２２上に回転可能に搭載されて例示されているが、インディケータ２００６は、ハウジングアセンブリ８２０上にも回転可能に搭載できるということは理解されよう。更に、フォーク２０４２とポスト状構造２０３０はインディケータ２００６とアクチュエータ２００４それぞれに連結されているが、当業者であれば、フォーク２０４２をアクチュエータ２００４に連結し、ポスト状構造２０３０をインディケータ２００６に連結できるということは理解するであろう。
【００４８】
図３５から図３８は、本開示の教示に従って構築されている別の駆動ツールである。駆動ツールは、図２９に例示され、上述された駆動ツール８１０にほぼ類似しているが、帯状部材８５２’と、戻り止めバネ９６０’と、クラッチアセンブリ８２８’の調整カラー９６２’が異なる。
【００４９】
帯状部材８５２’は、軸方向突起部１３００と隣接壁１３０２を含むことができるバネマウント８７０’を含むことができる。戻り止めバネ９６０’は、係合部材１０１２’が軸方向突起部１３００の側方向反対側にクリップされ、戻り止めバネ９６０’が隣接壁１３０２に接触するように軸方向突起部１３００上に搭載できる。
【００５０】
調整カラー９６２’は、戻り止めバネ９６０’の突起部１０１０により係合され、調整カラー９６２’を所望の位置に維持する、複数の円周方向に等間隔に配置されている複数の戻り止め凹部１０４２’を含むことができる。この点に関して、半径方向に突起している歯１３１０が、隣接する戻り止め凹部１０４２’の間に配置されている。示されている特別な例においては、クラッチアセンブリ８２８’の最高（つまり、最大トルク）設定に連結されている戻り止め凹部１０４２’と、付随する戻り止め凹部１０４２’の間に配置されている、半径方向に突起している歯１３１０ａは、残りの半径方向に突起している歯１３１０よりも相対的に長い。このような構成は、調整カラー９６２’を、クラッチアセンブリ８２８’の最高設定に連結されている位置へ、またはその位置から移動するために追加的なトルクを必要とする。
【００５１】
本明細書において具体的な例が記載され、図において例示されたが、この技術の通常の技量を有する当業者にとっては、請求項において定義される本開示の範囲を逸脱することなく、種々の変更が行われ、等価物がその構成要素と置き換えられるということは理解されよう。更に、種々の例の間の特徴、要素および／または機能の混合および整合は、ここにおいて明示的に考慮され、そのため、通常の技量を有する当業者であれば、この開示から、１つの例の特徴、要素および／または機能を、更なる記載なして、別の例に適切に組み込むことができることは理解されよう。更に、その本質的な範囲から逸脱することなく、本開示の教示に、特別な状況または材料を適合する多数の変形例を行うこともできる。従って、本開示は、図により例示され、本開示の教示を遂行するための、現在考えられている最良の方法として本明細書に記載された特別な例に制限されず、本開示の範囲は、前述の記載と付随する請求項に該当する任意の実施の形態を含む。
【図１】
2011512264.tif 000003
【図２】
2011512264.tif 000004
【図３】
2011512264.tif 000005
【図４】
2011512264.tif 000006
【図５】
2011512264.tif 000007
【図６】
2011512264.tif 000008
【図７】
2011512264.tif 000009
【図８】
2011512264.tif 000010
【図９】
2011512264.tif 000011
【図１０】
2011512264.tif 000012
【図１１】
2011512264.tif 000013
【図１２】
2011512264.tif 000014
【図１３】
2011512264.tif 000015
【図１４】
2011512264.tif 000016
【図１５】
2011512264.tif 000017
【図１６】
2011512264.tif 000018
【図１７】
2011512264.tif 000019
【図１８】
2011512264.tif 000020
【図１９】
2011512264.tif 000021
【図２０】
2011512264.tif 000022
【図２１】
2011512264.tif 000023
【図２２】
2011512264.tif 000024
【図２３】
2011512264.tif 000025
【図２４】
2011512264.tif 000026
【図２５】
2011512264.tif 000027
【図２６】
2011512264.tif 000028
【図２７】
2011512264.tif 000029
【図２８】
2011512264.tif 000030
【図２９】
2011512264.tif 000031
【図３０】
2011512264.tif 000032
【図３１】
2011512264.tif 000033
【図３２】
2011512264.tif 000034
【図３３】
2011512264.tif 000035
【図３４】
2011512264.tif 000036
【図３５】
2011512264.tif 000037
【図３６】
2011512264.tif 000038
【図３７】
2011512264.tif 000039
【図３８】
2011512264.tif 000040
【図３９】
2011512264.tif 000041
【図４０】
2011512264.tif 000042
【図４１】
2011512264.tif 000043
【国際調査報告】
2011512264.tif 000044